(57)【特許請求の範囲】
【請求項１】
フロントウエスト領域と、バックウエスト領域と、該ウエスト領域の間を延びて、これを接続する股領域、及び一対の側部方向に対向した側部縁とを形成し、多機能結合システムを含むようになっている予め結合された使い捨て吸収性物品であって、該多機能結合システムは、
a)  前記バックウエスト領域の前記対向した側部縁に配置されており、製造過程において前記使い捨て吸収性部品の前記フロントウエスト領域の外表面に再締結可能に予め結合されて、ウエスト周囲寸法を形成するようになっている一対の一次ファスナーと、
b)  前記バックウエスト領域に配置されており、前記フロントウエスト領域内において吸収性物品の外表面に再締結可能に係合して、前記一次ファスナーの係合を外すことなく前記ウエスト周囲寸法を減少させることができるようにするウエストサイズ調整手段と、からなり、
ｃ)  前記バックウエスト領域に配置されて前記バックウエスト領域に固定された取付け部分と、横方向に対向する側に位置する両側の端部とを有するベルトセグメントと、
ｄ)  前記ベルトセグメントの前記両側の端部に配置され、着用時に前記フロントウエスト領域の外表面に再締結可能に係合して前記バックウエスト領域及び前記フロントウエスト領域を着用者の身体に一致させるように構成された一対の二次ファスナーと、
を含む
ことを特徴とする使い捨て吸収性部品。
【請求項２】
コンテナと、フロントウエスト領域、バックウエスト領域、該ウエスト領域の間を延びて、これを接続する股領域、及び一対の側部方向に対向した側部縁とを形成する予め締結された複数の使い捨て吸収性物品と、からなり、前記複数の使い捨て吸収性物品の各々が多機能結合システムを含むようになっている予め結合された使い捨て吸収性物品のパッケージであって、該多機能結合システムは、
a)  前記バックウエスト領域において前記対向した側部縁に配置されており、製造過程において前記使い捨て吸収性部品の前記フロントウエスト領域の外表面に再締結可能に予め結合されて、ウエスト周辺寸法を形成し、予め結合された使い捨て吸収性物品を形成するようになっている一対の一次ファスナーと、
b)  前記バックウエスト領域に配置されており、前記予め締結された吸収性物品が着用者の腰まわりに引き上げられた後で、前記フロントウエスト領域の外表面に再締結可能に係合して前記ウエスト周辺寸法を減少させ、前記ウエスト領域を着用者の身体に一致させることができるようにする、少なくとも１つの二次ファスナーと、
からなり、
前記二次ファスナーは、前記吸収性物品に固定された取付け端部と、前記ウエスト領域を前記着用者の身体に一致させるように、前記吸収性物品の前記対向ウエスト領域に取外し可能に係合するように構成されたフック式ファスナーを含む自由端部と、を形成する延長部材を含み、
前記延長部材の前記取付け端部は、前記一次ファスナーと前記フック式ファスナーから内方に配置されており、前記延長部材の前記自由端部は前記一次ファスナーの少なくとも一方にわたり延びて、前記吸収性物品の前記対向ウエスト領域に取外し可能に係合し、該ウエスト領域を前記着用者に一致させるようにする
ことを特徴とする使い捨て吸収性部品。
【発明の詳細な説明】
【０００１】
(技術分野)
本発明は、一般的に人体排泄物を含むようになっている使い捨て吸収性物品に関する。より詳細には、本発明は、物品を着用者のウエスト周りに維持するための結合システムを有する使い捨て吸収性物品に関する。
【０００２】
（背景技術）
おむつ、トイレ訓練用パンツまたは失禁用衣類のような吸収性部品は、着用者のまわりに密着した心地よいフィット性を与え、人体排泄物を含むようになっていることが好ましい。汚れた後に、このような吸収性物品は、世話人を汚したり、または着用者の衣類のような周囲領域を汚すことなく、便宜よくクリーンな状態で着用者から取り外されることが望まれる。所定の環境において、このような吸収性物品を着用者のおしり回りで引張り上げたり、降ろすことができ、着用者または世話人は、物品が汚されていなかった場合に物品を着用させたり、簡単に取外しができることが好ましい。例えばこのような吸収性物品は幼児のトイレ訓練用パンツにおいても有効である。
【０００３】
従来のおむつは、接着剤テープまたはフック及びループ式ファスナーのような従来のファスナーを用いて着用者のお尻の周りに取外し可能に接続されたフロントウエスト部分とバックウエスト部分とを含むことが一般的であった。例えば、従来のファスナーは、おむつのバックウエスト領域におけるおむつの最外周のかどに配置された接着剤テープタブ、おむつのフロントウエスト部分においておむつの外側カバーの外面に配置されたテープパネルのような相補的なファスナーを有することが一般的であった。このような構造において、おむつは着用者の脚部の間に配置されており、接着剤テープタブは、バックウエスト部分をおむつのフロントウエスト部分に固定し、オムツを着用者のウエスト周りに固定するようにテープパネルに取外し可能に取付けられている。このような従来のおむつは、世話人を不本意に汚すことなく、着用者の周りに固定したり、使用後に着用者からはずすことは簡単である。しかし、このような従来のおむつは、一般的に、ファスナーが取付けられると着用者のヒップまわりで引張り上げたりまたはおろすことができない。
【０００４】
人体排泄物を効率的に含み、着用者のヒップのまわりで着脱できる吸収性物品を形成するためのいくつかの試みがなされてきた。例えば、従来のトイレ訓練用パンツのような従来の吸収性物品によっては、フロントウエスト部分をバックウエスト部分に接続する一体式側部パネルを含んでいるものがあった。側部パネルは、所望であれば吸収性物品を着用者のヒップまわりで着脱するために、吸収性物品のウエスト開口部が延びるように伸縮可能である。このような側部パネルは引き裂かれるように設計されて、吸収性物品が汚れた後に、吸収性物品を着用者から取はずす助けとしてきた。
【０００５】
しかし、多くのこのような試みは完全に満足行くものではなかった。例えば、トイレ訓練用パンツのような吸収性物品は、着用者のヒップ周りで着脱するのに充分に広がることができながら、着用者に密着した心地よさを与えることができるとは限らない。このようなトイレ訓練用パンツは着用者のウエストにゆるくフィットし、漏れが発生することになるので好ましくない。さらに、従来のトイレ訓練用パンツのような一体式側部パネルを有する汚れた吸収性物品を取除くことは完全に満足いくものではなかった。たとえば、着用者のヒップ周りで物品を着脱する代りに、物品を着用者のウエストから取除こうとした場合、側部パネルを裂くのは困難である。このために、多くのこのような物品は、より心地よいフィット性を着用者に与えるように調整できる従来のおむつ式物品ほど効率的に人体排泄物を含めなかった。
【０００６】
このように、改善された吸収性物品を開発しようとする試みにもかかわらず、人体排泄物を効率的に含み、着用者のヒップ及び臀部の周りで上げたり、降ろすことができ、便宜よくクリーンな手段で着用者に簡単に固定でき、取除くことができる吸収性物品を必要としている。さらに、物品を着用者の脚部で着用できるように取外し可能に予め固定されており、物品が着用された後で、着用者のウエストまわりで簡単に調整できる調整可能なファスナーを含むような、ウエストセクションを含む使い捨て吸収性物品が必要とされる。
【０００７】
(発明の開示)
上述に記載した困難性と問題に応じて、改善された多機能結合システムを有する新規な使い捨て吸収性物品が発見された。１態様において、本発明は、フロントウエスト領域、バックウエスト領域、ウエスト領域と一対の側部方向に対向した側部縁との間を延び、接続する股領域とを形成する予め結合された使い捨て吸収性物品に関する。予め結合された吸収性物品は一対の一次ファスナーと少なくとも一つの二次ファスナーとを含む多機能結合システムを含む。一次ファスナーは物品の一方のウエスト領域において対向した側部縁に配置されている。一次ファスナーは使い捨て吸収性物品の対向したウエスト領域に取外し可能に予め結合されており、フロントウエスト領域をバックウエスト領域に取外し可能に係合し、予め結合された使い捨て吸収性物品を形成するようになっている。二次ファスナーがウエスト領域の一方側に配置されており、対向したウエスト領域と取外し可能に係合するように設計されており、予め結合された使い捨て吸収性物品が着用者のヒップの周りで着用された後に、ウエスト領域を着用者の人体に一致するようになっている。
【０００８】
別の態様において、本発明は、フロントウエスト領域、バックウエスト領域、ウエスト領域と一対の側部方向に対抗した側部縁との間を延び、接続する股領域とを形成する予め結合された使い捨て吸収性物品に関する。吸収性物品は一対の一次ファスナーと、ベルトセグメントおよび一対の二次ファスナーとを含む多機能結合システムを含む。一次ファスナーは物品の一方のウエスト領域において対向した側部縁に配置されており、フロントウエスト領域をバックウエスト領域に取外し可能に係合するように構成されており、フロントウエスト領域をバックウエスト領域に取外し可能に係合するようになっている。ベルトセグメントがウエスト領域の一方に配置されており、ウエスト領域と側部方向に対向した端部とに固定された取付け部分を形成する。二次ファスナーがベルトセグメントの対向端部に配置されている。二次ファスナーが対向したウエスト領域に取り外し可能に係合されて、一次ファスナーが取外し可能に係合された後にウエスト領域を着用者の人体に一致させるように構成されている。
【０００９】
本発明のさらに別の態様において、本発明は、フロントウエスト領域、バックウエスト領域、ウエスト領域と一対の側部方向に対向した側部縁との間を延び、接続する股領域とを形成する予め結合された使い捨て吸収性物品に関する。吸収性物品は、外側カバーと、吸収性本体と、多機能性結合システムとを含む。吸収性本体は外側カバーに接続されたバックシート、重ねられた関係でバックシートに接続された体側ライナーと、バックシートと体側ライナーとの間に配置された吸収性コアとを含んでいる。多機能結合システムは、吸収性物品のバックウエスト領域の側部方向に対向した側部縁上の外側カバーに配置されている一対の一次ファスナーを含んでいる。一次ファスナーは吸収性物品のフロントウエスト領域において吸収性物品の外面と取外し可能に係合するように構成されている。結合システムは、吸収性物品のバックウエスト領域に配置されており、バックウエスト領域と一対の側部方向に対向した端部とに固定されている取付け部分とを形成するベルトセグメントを含む。一対の二次ファスナーがベルトセグメントの対向端部に配置されており、フロントウエスト領域の外面と取り外し可能に係合しており、一次ファスナーが取り外し可能に係合した後にウエスト領域を着用者の体に一致するように構成されている。特定の実施例において、ベルトセグメントの側部方向に対向した端部がバックウエスト領域のスロットを通り吸収性物品の外面に延びている。二次ファスナーのそれぞれと、ベルトセグメントの端部が、各一次ファスナー上を延びており、フロントウエスト領域と取外し可能に係合するように構成されていればよい。
【００１０】
別の態様において、本発明は、コンテナと複数の予め結合された使い捨て吸収性物品とを含む予め結合された使い捨て吸収性物品のパッケージに関する。予め結合された物品は、フロントウエスト領域、バックウエスト領域、ウエスト領域と一対の側部方向に対向した側部縁との間を延びる股領域とを形成する。予め結合された使い捨て吸収性物品のそれぞれは一対の一次ファスナーと、少なくとも１つの二次ファスナーとを含む多機能結合システムを含む。一対の一次ファスナーは一方のウエスト領域において対向した側部縁に配置されており、使い捨て吸収性物品の対向したウエスト領域に取り外し可能に予め結合されている。少なくとも一つの二次ファスナーがウエスト領域の一方に配置されている。二次ファスナーが、対向したウエスト領域に取り外し可能に係合して、予め結合された使い捨て吸収性物品が着用者のヒップ周りに着用されると、ウエスト領域を着用者の身体に一致するように構成されている。
【００１１】
本発明のさらに別の態様において、本発明は、フロントウエスト領域、バックウエスト領域、ウエスト領域と一対の側部方向に対向した側部縁との間を延び、接続する股領域とを形成する使い捨て吸収性物品に関する。吸収性物品は、一対の一次ファスナーと、この一次ファスナーが取り外し可能に係合されると、物品のウエスト周囲の寸法を小さくするためのウエストサイズ調整手段とからなる多機能結合システムを含む。一対の一次ファスナーが一方のウエスト領域において対向した側部縁に配置されており、使い捨て吸収性物品の対向したウエスト領域と取外し可能に係合するように構成されており、フロントウエスト領域をバックウエスト領域に取外し可能に係合し、ウエスト周囲寸法を定めるようになっている。ウエスト調整手段は、一次ファスナーを取り外すことなく、吸収性物品のウエスト周囲寸法を減少させて、一次ファスナーが対向したウエスト領域に取外し可能に係合されるとウエスト領域と着用者の体が一致し、吸収性物品を着用者のウエストに固定するようになっている。特定の実施例において、吸収性物品が着用者のヒップで着用されるように予め結合されている。ウエストサイズ調整手段が領域の一方に一方に配置されており、対向したウエスト領域に取外し可能に係合するように構成された少なくとも一つの二次ファスナーを含んでいればよい。
【００１２】
本発明は、多機能結合システムを含む吸収性物品を形成するので有効である。結合システムは、吸収性物品のフロント及びバックウエスト部分に取外し可能に係合し、従来のおむつと同様な手段で、着用者のウエスト周りに吸収性物品を維持するようになっている。結合システムは予め結合されており、フロント及びバックウエスト部分を取外し可能に係合し、吸収性物品を従来のトイレ訓練用パンツのように着用者のヒップで着用したり、降ろすことができるようになっている。このため本発明の吸収性物品は、着用者の身体に一致して、着用者のヒップ周りで着用したり、降ろすことができながら、人体排泄物を効率的に含むことができるように構成されており、着用者のトイレ訓練の助けとなっている。さらに、本発明の吸収性物品は比較的簡単で清潔に着用者に着用できたり、取り外すことができるので便利である。
【００１３】
(発明を実施するための最良の形態)
本発明は、本発明の以下の詳細な説明と図面を参照すればより完全に理解でき、更なる利点が明白になるであろう。同一の符号は同様の要素を表している。図面は例示にすぎず、請求の範囲を制限するものではない。
本発明は、着用者の身体に密着して一致し、着用者のヒップおよび臀部周りで着用したり、降ろすことができながら、人体排泄物を効率的に含むことができるように構成されている使い捨て吸収性物品に関する。吸収性物品は着用者のウエストから直接、簡単に固定させたり、取り外すことができる。使い捨て吸収性物品は、着用者の身体に隣接して着用され、身体から排泄された様々な排泄物を吸収し、含むようになっている。本明細書における“使い捨て”とは、限られた使用後に廃棄されるものであり、再使用のために洗濯されたり、保管されたりすることを意図するものではないような物品のことをいう。本発明の使い捨て吸収性物品では、幼児により下腹部に着用されるようになっている使い捨て吸収性物品に関し記載する。
本発明の使い捨て吸収性物品は、成人失禁用製品、トイレ訓練用パンツ、女性生理用品、これらとは別の個人用ケア製品または健康介護衣類等のような別の種類の吸収性物品として使用するものにも同様に適応している。
【００１４】
図1乃至4は、本発明に関し20で表されている使い捨ておむつの1例をそれぞれ表している。図1から4に図示されているように、おむつ20は、フロントウエスト領域22、バックウエスト領域24、前後ウエスト領域22，24の間を延びて、これらを接続する股領域26、一対の側部方向に対向した側部縁28、内面30、および外面32を備える。フロントウエスト領域22は、着用されると着用者の前部に配置されるようなおむつ20の一部であり、一方バックウエスト領域24は、着用されると着用者の後部に配置されるようなおむつ20の一部である。おむつ20の股領域は、着用されると、着用者の脚部の間に配置され、着用者の下腹部をカバーするように配置されている。おむつ20が、約22から約37ポンドの体重の幼児により着用される場合に、股領域26は、一般的に約5から約15センチメートルの長さを有する。
【００１５】
おむつ20は、外側カバー34、吸収性本体36、および一対の一次ファスナー52，54と一対の二次ファスナー56，58とを含む多機能結合システム50からなる。吸収性本体36は着用者から排泄された人体排泄物のどんなものでも含み、または吸収するように構成されている。一方、外側カバー34と多機能結合システム50はおむつ20を着用者のウエストまわりに維持し、吸収性本体を見えないようにし、衣類のような外観を形成するように構成されている。おむつ20は、脚部弾性部96,98と収納フラップ100,102を含んでいればよい。おむつ20の個々の成分は、おむつ20の意図する使用によって任意であればよい。
【００１６】
図1から4に図示するように、おむつ20の側部方向に対向した側部縁28は、曲線であればよい脚部開口を形成する外側カバー34の側部縁によって形成されている。外側カバー34のウエスト縁は着用すると着用者のウエストを囲むように構成されたウエスト開口部を形成する。おむつ20の外側カバー34は液体透過性でもよいし、あるいは液体不透過性の材料から適切に構成されていればよい。本発明の別の態様の吸収性本体36は、着用者から排泄された人体排泄物を含むように設計されているために、一般的に外側カバーが液体不透過性である必要はない。例えば、外側カバー34は、スパンボンド−メルトブロー−スパンボンド（SMS）、綿材料、レーヨン材料またはスパンボンド−メルトブロー−スパンボンド（SMS）積層のようなこれらの組み合わせのような、様々な織材料または不織材料を含んでいればよい。外側カバー34は、少なくとも部分的に液体不透過性であり、体からの排泄物の漏れを防ぐ。例えば、一般的な外側カバー34は薄いプラスチックフィルム又は別の可撓性のある液体不透過性材料から製造できる。特定の態様において，外側カバー34は、厚さ約0.012ミリメートル（0.5ミル）から約0.051ミリメートル（2.0ミル）のポリエチレンフィルムから形成されていればよい。外側カバー34は、所望レベルの液体不透過性を選択された領域に与えるように全体的にまたは部分的に構成されていればよい。さらに外側カバー34は液体排泄物が外側カバー34を通らないようにしながら、水蒸気がオムツ20から逃げることができるような微細孔性通気可能材料から構成されている。さらに外側カバー34は、伸長熱積層（STL）、ネック結合された積層（NBL）または伸長結合された積層（SBL）材料のような伸長化された材料でもよい。このような材料を製造するための方法が本分野において公知であり、ウェイネンスキ他に1987年5月5日に付与された米国特許第4,663,220号と、モーマンに1993年7月13日に付与された同第5,226,992号およびテーラ他による1987年4月8日に公開された欧州特許出願番号EP0217032号に記載されている。本明細書は、これらを引例として組込む。
【００１７】
より布状の感触を有する外側カバー34を提供することが望まれる場合には、外側カバー34は、ポリオレフィン繊維のスパンボンドウェブのような外面に積層された不織ウェブを有するポリエチレンフィルムから構成されていればよい。例えば、約0.015ミリメートル（0.6ミル）の厚さを有するポリエチレンフィルムが熱的に積層されたポリオレフィン繊維からなるスパンボンドウェブを有しており、ポリオレフィン繊維は約1.5から2.5デニール/フィラメントを有しており、不織ウェブは約24グラム/平方メートル（0.7オンス/平方ヤード）の坪量を有する。外側カバー34は2つのスパンボンド層の間に配置され、坪量が約70から75グラム/平方メートルの坪量を有する伸長熱積層（ＳＴＬ）材料であってもよい。フィルム層はメルトブローポリエチレン繊維から構成されていればよく、スパンボンド層はポリプロピレン繊維から構成されていればよい。外側カバー34は、ポリエチレン/ポリプロピレン複合繊維のような複合繊維を含んでいればよい。布状の外側カバーを形成する方法は、本分野において公知である。
【００１８】
図1乃至4において図示したように、おむつ20の吸収性本体36は外側カバー34に適切に接続されており、使い捨ておむつ20を形成する。吸収性本体36は本分野において公知の手段で外側カバー34に接続されていればよい。例えば、吸収性本体36は、本分野において公知の接着性、熱または超音波結合の技術を用いて、外側カバー34に結合されていればよい。あるいは、吸収性本体36はボタン、フックおよびループ式ファスナー、接着テープファスナー等のような従来のファスナーを用いて外側カバー34に接続されていればよい。おむつ20の別の成分が同様の手段を用いて適切に共に接続されていればよい。
吸収性本体36は外側カバー34のウエスト縁にだけ、またはこれに隣接して接続されており、フロント取付け部分、バック取付け部分および取付け部分の間に延びており、これを接続する非取付け部分とを作り出すことになる。吸収性本体36の非取付け部分は外側カバー34に実質的に取付けられておらず、使用時に着用者の脚部の間にフィットし、着用者の下腹部を少なくとも部分的にカバーするようになっている。このために、非取付け部分は使用時に着用者から人体排泄物を最初受取るように構成されている吸収性本体の一部である。この手段において、吸収性本体36は、本体36を所定の場所に固定し、使用時に外側カバー34の動作を不利な状態で制限しないように外側カバー34に結合されている。あるいは、吸収性本体36は、吸収性本体36の全長手方向の長さ、またはこれの何れかの部分あるいは吸収性本体36の外周のみに沿って外側カバー34に取付けられていればよい。
【００１９】
図1乃至4に図示するように、本発明に関する吸収性本体36はバックシート38、該バックシートと重なる関係に接続されている体側ライナー40、体側ライナー40とバックシート38との間に配置された吸収性コア42とを含む。別の構造において、外側カバー34は、これを通って流れる液体に対し部分的に抵抗し、バックシート38は吸収性本体36から任意的に省かれてもよい。
【００２０】
吸収性本体36は一般的に追従性があり、保持している人体排泄物を吸収できる。吸収性本体36は、いくつかの形状及び大きさを有していればよい。例えば、図1乃至4に図示されているように、吸収性本体36は、矩形、Ｉ字形状またはＴ字形状であればよい。吸収性本体36の大きさと吸収能力は意図する着用者の大きさと、おむつ20の意図する使用によって与えられた流体荷重に一致しなければならない。一般的に吸収性本体36は、少なくとも300グラムの尿の吸収能力を有することが好ましい。吸収性本体36は股領域26においてウエスト領域22および24よりも狭いことが一般的に好まれる。本発明の吸収性本体36は、股領域26の幅寸法が約2.5から約10.2センチメートル（1.0から約4.0インチ）、好ましくは約7.6センチメートル（3.0インチ）以下、より好ましくは、約5.1センチメートル（2.0インチ）以下である場合、特に有効であることがわかった。吸収性本体36の狭い股幅寸法であれば、吸収性本体36を着用者の脚部の間によりフィット性を持たせることができる。
【００２１】
図1乃至4に図示したように、吸収性本体36の体側ライナー40が着用者の体に隣接して着用され、着用者の皮膚に追従性があり、ソフトな感触で刺激を与えないような体側面を表している。更に、体側ライナー40は、吸収性コア42よりも親水性が小さく着用者に比較的乾燥した面を提供し、液体透過性となるのに充分に有孔性であり、液体が簡単にその厚さを貫通するようになっている。適当な体側ライナー40が、有孔性フォーム、網状フォーム、穿孔されたプラスチックフィルム、天然繊維（例えば、木材、または綿繊維のような）、合成繊維（例えば、ポリエステルまたはポリプロピレン繊維）または天然及び合成繊維の組み合わせのように広く選択されたウェブ材料から製造されていればよい。体側ライナー40は着用者の皮膚を吸収性本体36の吸収性コア42に保持された流体から分離するのに利用される。
【００２２】
様々な織及び不織布が体側ライナー40に関し使用できる。例えば、体側ライナーは、ポリオレフィン繊維のメルトブローまたはスパンボンドウェブから構成されていればよい。体側ライナーは天然または合成繊維から構成された結合され、カーディングされたウェブから構成されていればよい。体側ライナーは、実質的に疎水性材料から構成されており、疎水性材料は、任意的に界面処理剤で処理さるか、または所望レベルの湿潤性と親水性を与えるように処理されていればよい。本発明の特定の実施例において、体側ライナー40は、坪量が約22グラム/平方メートルで、密度が約0.06グラム/立方ｃｍのウェブに形成される約2.8−3.2デニールから構成された不織、スパンボンド、ポリプロピレン布から作られる。布はロムアンドハス社から商標名TritonX−102として商業的に入手できる約0.28重量パーセントの界面処理剤で界面処理される。
【００２３】
図1から4に図示するように吸収性本体36のバックシート38は、液体透過性または液体不透過性の何れかの材料から構成されるのが適当である。バックシート38は実質的に液体に対し不透過性である材料から形成されることが好ましい。一般的なバックシートは薄いプラスチックフィルムまたは別の可撓性のあｒ液体不透過性材料から製造できる。例えば、バックシート38は、厚さが嫉く0.012ミリメートル（0.5ミル）から嫉く0.051ミリメートル（2.0ミル）のポリエチレンフィルムから形成されていればよい。バックシート38はポリオレフィン繊維のスパンボンドウェブのような外面に積層された不織ウェブを有するフィルム層から構成されていてもよい。バックシート38はSTL材料のような外側カバー34からなる材料に類似した材料からも構成されていればよい。更に、バックシート38は、吸収性コア42に近接または隣接した選択された領域に所望レベルの液体不透過性を与えるように全体的にまたは部分的に構成された、または処理された織または不織繊維ウェブから構成されていてもよい。さらに、バックシート38は、液体排泄物がバックシート38を通ることを防ぎながら、吸収性コア42から水蒸気が逃げることができる微細孔性通気可能材料から構成されてもよい。例えば、バックシート38はニュージャージ州リンデン所在のエクソン・ケミカル・パテント・インコーポレーティドから、商標名EXXAIREとして 入手できる通気性ポリエチレンフィルム材料であればよい。このような構造において、外側カバー34は通気性材料から構成されていることも望まれる。
【００２４】
体側ライナー40とバックシート38が相互に接合されており、吸収性コア42が吸収性本体36を形成するように配置されるポケットを形成するようになっている。体側ライナー40とバックシート38は、接着結合、音波結合または熱結合のような本分野において公知の手段によって、吸収性本体36の外周周りに相互に直接接合されていればよい。例えば、均一な接合連続層、接着剤のパターン化された層、接着剤のスプレーまたはメルトブロ−パターン又は接着剤の線アレー、スワールまたはスポットが使用されて、体側ライナー40をバックシート38に結合する。体側ライナー40とバックシート38は吸収性本体36の外周に完全に延びている必要はないことに留意しなければならない。例えば、バックシート38は、体側ライナー40が吸収性本体36の外周の内側に、あるいはおむつ20の長手方向の中心線方向にバックシート38に取付けられて、吸収性本体36の外周に延びていればよい。特にバックシート38がないような別の構造において、体側ライナー40は吸収性コア42または外側カバー34に直接接合されていることが適当である。
【００２５】
図1乃至4に図示するように、吸収性コア42は、体側ライナー40とバックしh−と38との間に配置されており、吸収性本体36を形成するようになっている。吸収性コア42は追従性があり、人体排泄物を吸収でき保持できることが望ましい。吸収性コア42はいくつかの形状および大きさを有する。例えば、複合吸収性コアは長方形、I字形状、T字形状であればよい。吸収性コア42は、股領域26においてより狭いことが好ましい。吸収性コア42の大きさは意図する着用者の大きさに一致し、吸収性コア36の望ましい吸収能力に適応しなければならない。
【００２６】
吸収性本体36の吸収性コア42は様々な種類の湿潤、親水性繊維材料から適切に構成されていればよい。適切な材料の例では、セルロース繊維のような本質的に湿潤可能な材料、レーヨン繊維のようなセルロースまたはセルロース誘導体から構成された合成繊維、ガラス繊維のような本質的に湿潤可能な材料から構成された無機繊維、粒子ポリエステルおよびポリアミド繊維のような本質的に湿潤可能な熱可塑性ポリマーから作られた合成繊維、および本分野において公知の適切な手段によって親水化されたポリプロピレン繊維のような不織熱可塑性ポリマーから構成された合成繊維を含む。吸収性コア42は、上述した様々な繊維の選択された混合物から構成されていればよい。
【００２７】
特定の態様において、吸収性コア42は超吸収性材料として通常知られているような高吸収性材料の粒子と混合された、セルロース繊維ウェブのような親水性繊維マトリックスを含んでいればよい。本明細書において、高吸収性材料とは、これ自身の重量の少なくとも約10倍の水を吸収できる材料を言う。特定の実施例において吸収性コア42は、超吸収性ヒドロゲル形成粒子及び木材パルプフラフの混合物から構成されている。木材パルプフラフは、合成、ポリマー、メルトブロー繊維と、またはメルトブロー繊維と天然繊維との組み合わせと取り替えることができる。高吸収性材料は実質的に親水性繊維とほぼ均質に混合されたり、非均質に混合されたりする。高吸収性材料は、親水性繊維のマトリックス内で全体的に別個の層に構成される。あるいは、吸収性コア42は繊維ウェブおよび高吸収性材料との積層または局所的領域に高吸収性材料を維持する別の手段とから構成されていればよい。
【００２８】
高吸収性材料は天然、合成および変質天然ポリマ−および材料から選択できる。高吸収性材料は、シリカゲルのような無機材料、架橋されたポリマーのような有機化合物である。架橋されたとは、通常は水溶性材料を実質的に水不溶性であるが膨潤性に効率的にするための手段をいう。このような手段は、例えば物理的交絡、液晶ドメイン、共有結合、イオン錯体および会合、ヒドロゲル結合のような親水性会合、疎水性会合またはファンデールワールス力を含む。
【００２９】
合成ポリマー高吸収性材料の例には、アルカリ塩およびポリ（アクリル酸）およびポリ（メタアクリル酸）、ポリ（アクリルアミド）、ポリ（ビニールエーテル）のようなアンモニア塩、ビニールエーテルとアルファオレフィン、ポリ（ビニール ピロリドン）、ポリ（ビニール モルホリノン）、ポリ(ビニール アルコール)との無水マレイン酸コポリマーおよびこれらの混合物とコポリマーを含む。吸収性コアに使用するのに適した別のポリマーは、水素化されたアクリルニトリルグラフトスターチ、アクリル酸グラフトスターチ、メチルセルロース、カルボキシルメチルセルロース、ヒドロキシプロピルセルロース、およびアルギネート、キサンガム、ローカスビームガム等のような天然ガムを含む。天然ポリマーおよび全体的にまたは部分的に合成吸収性ポリマーの混合物も本発明において有効である。
【００３０】
高吸収性材料は様々な幾何形状であればよい。一般的な規則として、高吸収性材料は別個になった粒子の形態である。しかし、高吸収性材料は、繊維、フレーク、ロッド、球体、ニードル等の形態でもよい。高吸収性材料の粒子の塊を使用してもよい。本発明において使用するのに適した超吸収性ポリマーの1例が、バージニア州ポートマウス所在のホエストーセラネセからIM5000として商業的に入手できる超吸収性ポリマーである。別の適当な吸収性材料は、ミシガン州ミッドランド所在のダウケミカル社から入手できる超吸収性ポリマーを含む。一般的規則として高吸収性材料は、吸収性コア42の全重量に基いて約5から嫉く95重量パーセントおよび好ましくは約10から約60重量パーセントの量で本発明の吸収性コア42のなかに存在する。吸収性コア42の異なる部分内の高吸収性材料の分布は吸収性コア42の意図する最終目的の使用によって変えることができる。
【００３１】
図1から4に図示されているように、使い捨ておむつ20の吸収性本体36は、人体排泄物の側部方向の流れに対しバリヤを形成するように構成された一対の収納フラップ100および102を含む。収納フラップ100と102は吸収性本体36の側部方向に対向した側部縁に沿って配置されていればよい。各収納フラップは取付け縁104と非取付け縁106とを形成する。収納フラップ102,102のそれぞれは、収納フラップ100と102の非取付け縁106に接合されており、非取付け縁106にギャザーを寄せ、使用時に着用者の人体にたいしシールを形成するように構成された少なくとも一つの細長い弾性部材108も含む。収納フラップ100と102は吸収性本体36の全長に沿って長手方向に延びているか、または吸収性本体36の長さに沿って部分的にだけ延びていればよい。収納フラップ100及び102は長さが吸収性本体36よりも短い場合には、収納フラップ100と102は吸収性本体36の側部縁38に沿っていればどの位置にでも選択的に配置できる。本発明の特定の態様において、収納フラップ100と102は吸収性本体36の全長に沿って延びており、人体排泄物をより含むようになっている。
【００３２】
収納フラップ100と102は人体排泄物の流れに対し所望のバリヤを形成する材料であればいかなるものからでも形成できる。例えば、収納フラップ100と102は外側カバー34を形成する材料と同一の材料から構成されていればよい。ポリマーフィルムのような別の従来の材料も使用できる。特定の態様において、収納フラップ100および102は約70から75グラム/平方メートルの坪量を有し、ポリプロピレン繊維の２つのスパンボンド層間のメルトブローポリプロピレン繊維からなるメルトブロー層からなるSTL材料から構成されていればよい。
【００３３】
各収納フラップ100と102が側部方向の人体排泄物の流れに対しバリヤを形成するように、各収納フラップ100と102は吸収性本体36の側部縁38に取付けられている。収納フラップ100と102のそれぞれの取付け縁104は、非取付縁106がおむつ20の少なくとも股領域26において吸収性本体36から取り外されたままで、吸収性本体36の側部縁38に取付けられている。収納フラップ100と102の取付け縁104は、本分野において公知のいくつかの手段で吸収性本体36に取付けられていればよい。例えば、フラップ100と102の取付け縁104は吸収性本体36に超音波で結合されるか、熱的にまたは接着剤で結合されればよい。特定の態様において、収納フラップ100と102の非取付け縁106は非取付け縁106のほぼ全長にわたり吸収性本体36の側部縁38から取付けが外されたままであり、改善された性能を与えるようになっている。
【００３４】
あるいは、図1−4に図示するように、吸収性本体36のバックシート38または体側ライナー40と一体であればよい。例えば、収納フラップ100と102は吸収性本体36の吸収性コア42の側部縁を側部方向に越えて延びるバックシート38の部分から構成されていればよい。
各収納フラップ100および102は、収納フラップ100及び102の非取付け縁106が吸収性本体36から離れてほぼ直立した垂直方向の構造、特に使用時において股領域26において間隔が空けられた位置になるように構成されている。図1乃至4に図示するように、各収納フラップ100と102の非取付け縁106は、使用時において吸収性本体36から間隔が空けられていることが好ましく、人体排泄物の側部方向の流れに対しバリヤを形成するようになっている。各収納フラップ100と102の非取付け縁106は、使用時において吸収性本体36が着用者の体から離れていながら、着用者の体と接触する関係を維持することが好ましい。一般的に、弾性部材108は各収納フラップ100と102の非取付け縁106に取付けられており、非取付け縁106と吸収性本体36との間に離れた関係を維持するようになっている。例えば弾性部材108は、弾性部材108の収縮が収納フラップ100と102の非取付け縁106にギャザーを形成したり収縮させ短縮させるように、弾性的に収縮可能な状態で非取付け縁106に取付けられていればよい。
【００３５】
収納フラップ100と102の弾性部材108として使用するのに適した材料が本分野において知られている。このような材料の例が、フラップが伸長した状態でフラップ100および102に接合されているか、フラップにプリーツが形成された状態で、フラップ100,102に取付けられているポリマー弾性材料のシート、ストランドまたはリボンであり、フラップに弾性収縮力が与えられるようになっている。弾性部材108は、ポリウレタン、合成および天然ゴムのような材料も含んでいればよい。本発明の特定の態様において、弾性部材108は、E.Ｉ.デュポン・デュ・ニュモラス社から商業的に入手できる620デシテックスのLycraョ
の複数の別個のストランドから構成されていればよい。収納フラップ100及び102は、非取付け縁106に沿って約1から10弾性ストランドを含んでいればよい。弾性108は収納フラップ100及び102の非取付け縁106に固定される前に伸ばされてもよい。例えば、弾性部材108は、弾性部材108が収納フラップ100および102の非取付け縁106にギャザーを寄せるように取付けられる前に、少なくとも約75パーセント、好ましくは約100から150パーセントに伸ばされればよい。
【００３６】
収納フラップ100,102の別の構成と構造がエンロエに1987年11月3日に付与された米国特許第4,704,116号に記載されており、本明細書に引例として組込む。
本発明の異なる態様の吸収性物品は、着用者のウエストまわりに吸収性物品を固定するための多機能結合システム50を含む。多機能結合システムは、おむつ20の対向したウエスト領域と取外し可能に係合するように構成されたおむつ20のウエスト領域22及び24の一方に配置され、おむつを着用者のウエスト周りに配置するファスナーを含む。再結合可能または取り外し可能に係合可能なファスナーを使用することにより、おむつ20を着用者のウエストから簡単に固定したり取除くことができる。
【００３７】
図1から4に図示するように、本発明の多機能結合システム50は、おむつ20のバックウエスト領域24内のおむつ20の側部縁28に配置された一対の一次ファスナー52,54を含む。このような構造において、一次ファスナ０−52,54は着用者のヒップを取り囲み、おむつ20のフロントウエスト領域22の外面と係合するように構成されている。あるいは、一次ファスナー52,54はフロントウエスト領域22に配置され、おむつ20のバックウエスト領域24の外面32に取外し可能に係合するように構成されている。
一次ファスナー52,54はおむつ20の外側カバー34の外面と直接取外し可能に係合しており、改善された結合の容易さを与えるようになっている。
【００３８】
あるいは、図1から図4に図示されているように、本発明の使い捨ておむつ20はおむつ20のウエスト領域22と24の一方において外側カバー34に配置された取付けパネル60を含む。このような構造において、一次ファスナー52.54は、取付けパネル60と取外し可能に係合しており、おむつ20を着用者のウエスト周りに維持するようになっている。一次ファスナー52,54が取外し可能に係合されると、おむつ20の側部縁28は着用者の脚部を取り囲むように構成された脚部開口部を形成し、ウエスト領域22及び24は着用者のウエストを取り囲むように構成されたウエスト開口部を形成するようになっている。図4に図示するように取付けパネル60はおむつ20のウエスト領域22および24の一方において対向する側部縁に沿って配置された2つの分離したパネルを含んでいればよい。あるいは、取付けパネル60はおむつ20の各ウエスト領域にほぼ沿って延びる単一片の材料を含んでいればよい。
【００３９】
特定の実施例において、一次ファスナー52,54は、おむつ20が着用者に配置され予め結合されたおむつを形成するようにする前に、おむつ20の対向したウエスト領域22と24の外面と取外し可能に係合するように構成されている。このような構造において、予め結合されたおむつ20を着用者の脚部及びヒップまわりで着脱できる。おむつ20が使用中に汚れ始めると、一次ファスナー52と54は結合が解除され、おむつ20を着用者のウエストから簡単に取除くことができ、着用者の衣服または脚部を汚すといった好ましくない危険性を少なくする。このような構造において、本発明の異なった態様のおむつ20は従来のトイレ訓練用パンツのような着用者のヒップで着脱するような構成にでき、従来のおむつ物品のようにファスナーをはずして取除くことができる。
【００４０】
本発明の使い捨ておむつ20に関する多機能結合システム50は少なくとも二次ファスナーを含んでおり、一次ファスナー52,54が取外し可能に係合されて着用者のウエスト回りにおむつ20を改善した状態で固定できるようになっている。本発明の二次ファスナーは、おむつ20のウエス領域22,24が着用者のウエストに一致するように構成されている。例えば、図1乃至図4に図示されているように、おむつ20はおむつ20のウエスト領域22,24の一方において側部縁28に配置された一対の二次ファスナー56、58を含んでいればよい。二次ファスナー56,58が、おむつ20のバックウエスト領域24においておむつ２０の側部縁28に配置されていればよい。このような構造において、二次ファスナー56,58は着用者のヒップを取り囲み、フロントウエスト領域22の外面32と係合しておむつ20を着用者に維持するように構成されている。あるいは、二次ファスナー56,58はフロントウエスト領域22に配置されており、おむつ20のバックウエスト領域24の外面32と取外し可能に係合するように構成されていればよい。
【００４１】
二次ファスナー56,58がおむつ20の外側カバー34の外面と取外し可能に直接係合し、結合の容易さを改善する。あるいは、上述し、図1乃至図4に図示するように、本発明のおむつ20は、おむつ20のウエスト領域22、24の一方において外側カバ−34に配置された取付けパネル60を含んでいればよい。この構造において、二次ファスナー56、58は、取付けパネル60と取外し可能に係合しており、おむつ20を着用者のウエストまわりに維持するようになっている。
【００４２】
このような二次ファスナーを使用することは、一次ファスナー52,54がおむつ20の各ウエスト領域と取外し可能に係合するときに、特に望まれ、着用者の脚部及びヒップで着脱できる予め結合されたおむつを形成することがわかった。このような構造において、一次ファスナー52、54が係合されるときにおむつ20のウエスト開口部は、予め結合されたおむつを着用者のヒップ周りで着脱できるように充分なものでなければならない。しかし、着用者のウエストの外周は、一般的に着用者のヒップまわりの外周ようりも小さい。このように、予め結合されたおむつのウエスト開口部は、着用者のウエストに適応せず、漏れることになり好ましくない。このような構造において、本発明のおむつ20の二次ファスナーは、予め結合されたおむつが着用者に着用されると、おむつ20のウエスト領域を着用者に適応するように構成されている。世話人は、ウエスト領域22,24を着用者のウエストに適応するように一次ファスナー52,54を再び配置しなおす必要はない。このため、おむつ20を着用者から取除くべきとき、世話人は、必要であれば、ただ二次ファスナーの係合をはずし、一次ファスナー52,54を配置しなおすことなく着用者のヒップと脚部で予め結合されたおむつを着脱させる。
【００４３】
このような構造において、二次ファスナー56,58は、おむつを着用者のウエストまわりに密着させするようにし、使用時における人体排泄物の漏れを少なくさせる。一次ファスナー52,54は、二次ファスナー56、58の係合が解除されるとおむつ20が着用者のヒップまわりで着脱できるようにおむつ20の前後ウエスト領域22、24を接続することを維持するようにする。二次ファスナー56.58は選択的に係合が解除され、おむつ20の点検を容易にし、汚れいるかどうかを判断する。一次ファスナー52,54は、着用者が二次ファスナー56,58の係合を解除した場合、おむつ20を着用者のウエスト周りに少なくとも部分的に固定することによって、幼児保護機能を提供することができる。
【００４４】
適当なファスナーは本分野において公知であり、接着テープタブファスナー、フック及びループファスナー、マッシュルームファスナー、スナップ、ピン、ベルト等およびこれらの組み合わせを含むことができる。例えば、図1−4に図示するように、一次ファスナー52,54と二次ファスナー56,58はフック式ファスナーであればよく、外側カバー34または取付けパネル60は相補的ループ式ファスナーとして機能するように構成されていればよい。ファスナー52,54,56および58は外側カバー34と取外し可能に係合できるフック式ファスナーである。このような構造は広い範囲でかなり小さな寸法で段階的に増やすことで、ウエスト開口部の大きさを変更する能力を与える。ファスナーはおむつ20の所望の結合を着用者のウエスト周りに与える形状を大きさを有していればよい。二次ファスナー56,58の外面が、位置に関し世話人に視覚的注意を与えることが更に望まれる。例えば、１実施例において、二次ファスナー56,58はおむつ20の外面とは異なる色であり、世話人が二次ファスナー56,58の位置を容易に求めることができる。
【００４５】
図示した実施例において、一次ファスナー52、54はウエスト領域22,24の一方においておむつ20の側部縁に直接取付けられる。一次ファスナー52、54は接着剤結合、音波結合、または熱結合のように本分野において公知の手段で側部縁28に接合される。
【００４６】
二次ファスナー56、58は、一次ファスナー52,54が取外し可能に係合された後に、おむつ20のウエスト領域22,24を着用者のウエストに所望に改善された状態で固定し一致性を与える手段で、おむつ20に適切に固定されればよい。例えば、図1乃至4に図示するように、本発明の異なる態様のおむつ20では、おむつ20のウエスト領域22、24の一方に配置されたベルトセグメント62を含む。ベルトセグメント62は、おむつ20の各ウエスト領域22、24に固定された取付け部分64と側部方向に対向した一対の端部66を定める。二次ファスナー56,58はベルトセグメント62の端部66に接続されている。このような構造において、ベルトセグメント62の端部66は、二次ファスナー56,58が対向したウエスト領域に取外し可能に係合するように、着用者のヒップを取り囲むように構成されており、一次ファスナーが係合されると、おむつを着用者に改善された状態でフィットするようにする。
【００４７】
おむつ20の外側カバー34の外観に悪影響を与えることなく着用者のウエスト周りに改善されたフィット性を与えるために、ベルトセグメント62の長さのほとんどが各ウエスト領域22,24においておむつ20の内面30に沿って配置されていることが好ましい。図1乃至4に図示したような構造において、おむつ20はベルトセグメント62の端部66が摺動的に延びる一対のスロット68を含む。ベルトセグメント62の端部66と二次ファスナー56,58はおむつの外面32に配置されており、ベルトセグメント62の残りの部分はおむつと着用者の間のおむつ20の内面30を通り、これに沿って延びている。図示するように、二次ファスナー56、58は、改善された制御性と結合の容易性のためにスロットに隣接したおむつ20の外面と取外し可能に係合するように構成されていることが好ましい。
【００４８】
スロット68は本分野において公知の手段で形成されていればよい。例えば、スロット68は、組立てられた後に、おむつ20を切断することによって形成されてもよい。あるいは、スロット68は、材料セグメントをおむつ20の側部縁28に加えることによって形成されてもよく、側部縁の長手方向の端部において、材料セグメントを側部縁に取付け、側部縁28から側部方向外方に延びている。このような構造において、材料セグメントはおむつの側部縁と材料セグメントとの間にスロットを形成し、改善された生産性を与えるようになっている。
このような構造において、スロット68間のベルトセグメント62の一部はおむつ20の内面30に固定されており、取付け部分64を形成するようになっている。ベルトセグメント62の取付け部分64は、接着剤、音波または熱結合のような本分野において公知の方法を用いて、おむつの内面に固定されていればよい。好ましくは、取付け部分64はベルトセグメント62の全長の約75パーセント未満、より好ましくは約50パーセント未満である図3に図示した取付け長さ70を形成する。このような取付け長さはベルトセグメントの能力に悪影響を及ぼすことなく、ベルトセグメントをおむつ20に充分に固定し、着用者のウエストに一致させ、改善されたフィット性を与えるようになっている。
【００４９】
ベルトセグメント62は、所望の改善された結合を行い、着用者にフィットさせる長さと幅であればよい、例えば、ベルトセグメント62は約7から約35パーセントである長さと、約１から約10センチメートルの長さを形成する。ベルトセグメント62がウエスト領域を予め引張るためにわずかに伸ばされるように各ウエスト領域において、おむつ20の幅よりもわずかに小さい長さを有することが好ましい。
【００５０】
あるいは、図５に図示するように、本発明のおむつ20は、二次ファスナー56が取付けられた少なくとも一つの延長部材80を含んでいればよい。延長部分80はおむつ20の外面に固定された取付け端部82と、二次ファスナー56が取付けられる自由端部84とを備えている。このような構造において、延長部分80の二次ファスナー56と自由端部84は着用者のヒップを取り囲むように構成されており、二次ファスナー56が対向したウエスト領域に取外し可能に係合し、一次ファスナー52,54が係合されると、おむつを着用者に改善された状態でフィットさせる。
【００５１】
延長部材80の取付け端部82は一次ファスナ52,54から内方向に配置されていることが好ましい。このような構造において、二次ファスナー56と延長部材80の自由端部84は一次ファスナーの一方にわたり延びるように構成されており、おむつの対向したウエスト領域に取外し可能に係合させ、ウエスト領域を着用者の身体に一致させるようになっている。取付け端部82は、おむつ20に固定され、二次ファスナー56は上述した適当な手段を用いて、自由端部84に固定されていればよい。延長部材80は所望の改善された結合と着用者の周りにフィット性を与える長さと幅を形成すればよい。例えば、延長部材80は、約1から約15センチメートルの長さと、約1から約10センチメートルの幅とを有すればよい。
【００５２】
ベルトセグメント62または本発明の別態様の延長部材80として使用するのに適した材料は、外側カバー34に適するものとして上述した材料に類似している。ベルトセグメント6２または延長部材80は、着用者のウエスト周りに改善されたフィット性を与えるために、少なくとも約100パーセント、より詳細には、少なくとも約130パーセント延びることができる。例えば、ベルトセグメント62は、ミシガン州ミッドランド所在のダウケミカル社から入手できるＫｒａｔｏｎフィルム材料をふくむネック結合された積層材料からなる。ああるいは、ベルトセグメント62は、弾性材料を含む部分と、非弾性材料を含む部分とを含んでいればよい。
【００５３】
本発明の異なった態様の使い捨ておむつ20は、さらにおむつ20のウエスト内と側部縁28において弾性部を含み、人体排泄物の漏れを防ぎ、吸収性本体36を支持するようになっていればよい。例えば、図1乃至4に図示するように、本発明のおむつ20はおむつ20の股領域26において側部方向に対向した側部縁28に接続された一対の脚部弾性部材96,98を含んでいればよい。脚部弾性部96,98は使用時において着用者の脚部まわりにフィットするようになっており、着用者と積極的に接触する関係で、おむつ20からの人体排泄物の漏れを効率的に排除したり減少させる。
【００５４】
脚部弾性部96,98として使用するのに適した材料は本分野において公知である。このような材料の例が、伸長した位置において外側カバー34に接合されているか、または外側カバーにプリーツが形成され、外側カバー34に取付けられているポリマー弾性材料のシートまたはストランドまたはリボンであり、弾性収縮力が外側カバー34に与えられるようになっている。脚部弾性部はポリウレタン、合成および天然ゴムのような材料も含む。本発明の特定の態様において、弾性部は、E.Ｉ.デュポン・デュ・ニュモルス社から商業的に入手できる620デシテックスのLycraョの別個のストランドから構成されていればよい。別個の弾性ストランドが使用されると、ウエスト及び脚部弾性部は適当な数の弾性ストランドを含んでいればよく、人体排泄物を封じ込めるようにようになっている。例えば、脚部弾性部96と98は、約１から10弾性ストランドを含んでいればよい。脚部弾性部は、外側カバー34に取付けられる前に細長く伸ばされていればよい。例えば、脚部弾性部は、脚部弾性部が弛緩状態で外側カバー34にギャザーを寄せるように取付けられる前に少なくとも約150パーセント、好ましくは約200から500パーセント伸ばされていることが好ましい。脚部弾性部96及び98は、本分野の当業者に公知の手段で外側カバー34に結合されていればよい。例えば接着剤、熱または超音波結合の技術またはこれらの組み合わせが外側カバーに弾性部を結合するのに使用されればよい。適当な接着剤はファインドリ・アドヘッシブインクから入手できるファインドリH−2096ホットメルト接着剤を含む。
【００５５】
別の態様において、本発明は一次ファスナー52,54が対向するウエスト領域と係合し、予め結合された使い捨ておむつを形成するような上述に記載のおむつパッケージを提供する。パッケージは、例えばプラスチックバッグのようなコンテナと、複数の予め結合された使い捨ておむつを含む。上述したように、予め結合されたおむつ20は、このおむつ20のウエスト領域22,24の一方に配置された少なくとも１つの二次ファスナ−56を含む。二次ファスナー56は、対向したウエスト領域を取外し可能に係合し、予め結合された使い捨ておむつが着用者のヒップで着用されると、ウエスト領域22,24を着用者の人体に一致させるように構成されている。このようなパッケージは着用者の脚部で着用でき、汚れると着用者のウエストから簡単に取り外すことのできるおむつを提供する。
【００５６】
本発明の異なる態様は多機能結合システムを含む吸収性物品を提供するので便宜である。結合システムは吸収性物品の前後ウエスト部分を取外し可能に係合し、従来の手段と同様に着用者のウエストの周りに吸収性物品を維持するのに使用できる。結合システムは、前後ウエスト部分を取外し可能に係合し、従来のトイレ訓練用パンツのように、吸収性物品を着用者のヒップまわりで着脱できるようになっている。このため、本発明の吸収性物品は、着用者の身体に一致するように構成され、着用者のヒップ周りで着脱できながら、効率的に人体排泄物を含み、着用者のトイレ訓練の手助けとなる。さらに本発明の吸収性物品は、比較的に簡単で、清潔な状態で、着用者に当てたり、取り外すことができるので便利である。
【００５７】
本発明は、本発明の特定の態様に関し詳細に記載してきたが、前述の説明を理解しようとする際に、本発明の当業者であれば、これら態様の変更、変形、および均等例を簡単に考慮できることに留意する。本発明の範囲は、請求の範囲およびこれの均等例として考慮されなければならない。
【図面の簡単な説明】
【図１】  一次ファスナーが予め結合された構造の、本発明に関する使い捨て吸収性物品の１例の側面図である。
【図２】  二次ファスナーが延ばされて、物品が着用者のヒップで着用されると、ウエスト領域が物品に一致するように係合された、図1の使い捨て吸収性物品の側面図である。
【図３】  着用者に接触する吸収性物品の表面が観察者に見えるような状態で、伸長され平坦に広げられた図1の使い捨て吸収性物品の平面図である。
【図４】  着用者の衣服に接触する吸収性物品の表面が観察者に見えるような状態で、伸長され平坦に広げられた図1の使い捨て吸収性物品の平面図である。
【図５】  二次ファスナーが延ばされ係合されて、一次ファスナーが係合された後に、物品のウエスト領域が着用者のウエストに着用されると、物品のウエスト領域が着用者のウエストに一致するようになる、本発明に関する使い捨て吸収性物品の別の例の側面図である。
【図１】
0004267200.tif 000002
【図２】
0004267200.tif 000003
【図３】
0004267200.tif 000004
【図４】
0004267200.tif 000005
【図５】
0004267200.tif 000006